(57)【要約】【課題】生垣バリカン等の園芸工具において、バッテリ装着部に軽いアダプタを取り付け、重いバッテリパックを使用者の腰ベルトに吊り下げた本体ユニットに収容することにより、園芸工具の軽量化を図るバッテリ装置において、従来作業を中断等する際には、本体ユニットごと取り外して作業現場を離れていたため、取り扱いが面倒であった。本発明では、本体ユニットを吊り下げ状態のまま工具本体を作業現場に置いておけるようにしてその取り扱い性をよくすることを目的とする。【解決手段】工具本体部に装着するアダプタユニット２２と使用者が身体に装備する本体ユニット２１をアダプタコード２３のコネクタ接続部Ｃ１で分離できるようにする。【選択図】図４
2014194950.tif 000002
【特許請求の範囲】
【請求項１】
バッテリパックを収容した本体ユニットと、該本体ユニットを電動工具に電源として接続するためのアダプタコードを備えたバッテリ装置であって、
前記本体ユニットは、前記アダプタコードを介して前記電動工具にコネクタ接続されており、該コネクタ接続部を切り離して前記電動工具から分離可能な構成としたバッテリ装置。
【請求項２】
請求項１記載のバッテリ装置であって、前記電動工具のバッテリ取り付け部に装着可能なアダプタユニットを備え、該アダプタユニットと前記本体ユニットが前記アダプタコードを介してコネクタ接続されて、前記本体ユニットが前記アダプタユニットを介して間接的に前記電動工具にコネクタ接続されたバッテリ装置。
【請求項３】
請求項１記載のバッテリ装置であって、前記アダプタコードを介して前記本体ユニットが前記電動工具に直接コネクタ接続されたバッテリ装置。
【請求項４】
請求項１〜３の何れか１項に記載したバッテリ装置であって、前記アダプタコードの中途位置にコネクタ接続部を有するバッテリ装置。
【請求項５】
請求項１〜４の何れか１項に記載したバッテリ装置であって、前記コネクタ接続部に抜け止め構造を備えたバッテリ装置。
【請求項６】
請求項１〜５の何れか１項に記載したバッテリ装置であって、前記コネクタ接続部に防水構造を備えたバッテリ装置。
【請求項７】
請求項１〜６の何れか１項に記載したバッテリ装置であって、前記コネクタ接続部を介して前記本体ユニットを充電器に接続可能なバッテリ装置。
【発明の詳細な説明】
【技術分野】
【０００１】
この発明は、電動工具の電源に用いるバッテリ装置に関する。
【背景技術】
【０００２】
例えば電動式のねじ締め工具や孔明け工具であって、作業者が手に持って用いる手持ち式の電動工具には、電源に充電式のバッテリを用いるものが提供されている。多くの場合、このバッテリ式電動工具では、バッテリパックを工具本体部に装着して用いる。バッテリパックは、工具本体部から取り外して別途用意した充電器で充電することにより繰り返し使用することができる。
電動工具用のバッテリパックは、バッテリケース内に複数本のセルを収容したもので、比較的大きな重量を占めるため、工具本体に装着した状態で作業者が手に持って長時間使用すると手首が疲れて作業性が低下する場合がある。この問題を解消するための技術が下記の特許文献に開示されている。この特許文献には、バッテリ装置を用いることによりバッテリパックを工具本体部から分離してその軽量化を図ることによりその使い勝手を高める技術が開示されている。
このバッテリ装置は、工具本体部に装着するアダプタユニットと、バッテリパックを収容して作業者の腰ベルト等に引き掛けておくことができる本体ユニットを備えるもので、アダプタユニットはアダプタコードを経て本体ユニットに電気的に接続されている。係る従来技術によれば、重量物であるバッテリパックを収容した本体ユニットは作業者が腰ベルト等に引き掛けておき、工具本体部側に装着するアダプタユニットについてはセルを内装しないため大幅に軽量化することができ、これにより工具本体部の使い勝手を高め、またその取り回しを容易にすることができ、ひいては作業効率を高めることができる。
【先行技術文献】
【特許文献】
【０００３】
【特許文献１】実開平７−３９８３号公報
【発明の概要】
【発明が解決しようとする課題】
【０００４】
しかしながら、上記従来のバッテリ装置によれば、作業者が休憩等のため一旦作業を中断して電動工具を作業場に置いておく場合には、アダプタユニットを工具本体部から取り外して本体ユニットとともに持ち歩くか、本体ユニットを腰ベルト等から外してアダプタユニットとともに作業場に置いておく等する必要があり、アダプタユニットと本体ユニットがアダプタコードで接続されているため、かえってその取り扱いが面倒になる場合があった。
本発明は、バッテリパックを収容した本体ユニットを作業者の身体等に装着したまま、電動工具から分離できるようにしてその取り扱い性を一層高めることを目的とする。
【課題を解決するための手段】
【０００５】
上記課題は、以下の発明によって解決される。
第１の発明は、バッテリパックを収容した本体ユニットと、この本体ユニットを電動工具に電源として接続するためのアダプタコードを備えたバッテリ装置であって、本体ユニットは、アダプタコードを介して電動工具にコネクタ接続されており、このコネクタ接続部を切り離して本体ユニットを電動工具から分離可能な構成としたバッテリ装置である。
第１の発明によれば、アダプタコードのコネクタ接続部を切り離すことにより本体ユニットを電動工具から分離することができるので、当該バッテリ装置の使い勝手及び取り扱い性を高めることができる。
第１の発明では、アダプタコードのコネクタ接続部を介して本体ユニットを、アダプタユニットを介して間接的に電動工具に接続する構成の他、アダプタユニットを仲介せず電動工具の工具本体部に直接コネクタ接続する構成を含む。
第２の発明は、第１の発明において、電動工具のバッテリ取り付け部に装着可能なアダプタユニットを備え、このアダプタユニットと本体ユニットがアダプタコードを介してコネクタ接続されて、本体ユニットがアダプタユニットを介して間接的に電動工具にコネクタ接続されたバッテリ装置である。
第２の発明によれば、電動工具のバッテリ取り付け部に取り付けたアダプタユニットを介して本体ユニットから電動工具に対して電源供給される。アダプタユニットをバッテリ取り付け部から取り外すことにより、当該バッテリ装置を電動工具から分離することができる。しかも、本体ユニットとバッテリユニットとの間がアダプタコードを介してコネクタ接続されていることから、このコネクタ接続部を切り離すことによっても本体ユニットを電動工具から分離することができる。コネクタ接続部を切り離すことによって本体ユニットを電動工具から分離できるので、作業中における電動工具の軽量化により作業の効率化を図るとともに、作業中断時等における当該バッテリ装置の取り扱い性をよくすることができる。
第３の発明は、第１の発明において、アダプタコードを介して本体ユニットが前記電動工具に直接コネクタ接続されたバッテリ装置である。
第３の発明によれば、本体ユニット側のアダプタコードの先端に例えばオス側コネクタを取り付け、電動工具の工具本体部にメス側コネクタを取り付けておくことにより、第２の発明におけるアダプタユニットを介することなく本体ユニットを直接電動工具側にコネクタ接続することができる。係る構成によっても、コネクタ接続部を切り離すことにより本体ユニットを電動工具から簡単に分離することができ、作業中における電動工具側の軽量化を図りつつ、作業中断時等における当該バッテリ装置の取り扱い性をよくすることができる。
第４の発明は、第１〜第３の何れか一つの発明において、アダプタコードの中途位置にコネクタ接続部を有するバッテリ装置である。第４の発明によれば、アダプタコードの中途位置でコネクタ接続を分離することによりアダプタユニットと本体ユニットを相互に分離することができる。
第５の発明は、第１〜第４の何れか一つの発明において、コネクタ接続部に抜け止め構造を備えたバッテリ装置である。第５の発明によれば、コネクタ接続部の不用意な取り外れが防止されて、工具本体部の予期せぬ動作中断状態を未然に防止することができる。
第６の発明は、第１〜第５の何れか一つの発明において、コネクタ接続部に防水構造を備えたバッテリ装置である。第６の発明によれば、コネクタ接続部について屋外作業に適用することができる。
第７の発明は、第１〜第６の何れか１つの発明において、コネクタ接続部を介して本体ユニットを充電器に接続可能なバッテリ装置である。第７の発明によれば、本体ユニットごと充電器に接続して収容したバッテリパックの充電を行うことができ、この点で当該バッテリ装置の使い勝手を高めることができる。
【図面の簡単な説明】
【０００６】
【図１】本発明の第１実施形態に係るバッテリ装置の使用例を示す斜視図である。本図では、バッテリ装置を園芸工具に用いて生け垣の剪定作業をする様子が示されている。
【図２】本発明の第１実施形態に係るバッテリ装置を園芸工具に装着した状態を示す斜視図である。
【図３】本発明の第１実施形態に係るバッテリ装置の全体斜視図である。本図は、本体ユニットにアダプタユニットを接続した状態を示している。
【図４】本発明の第１実施形態に係るバッテリ装置の全体斜視図である。本図は、本体ユニットからアダプタコードを切り離した状態を示している。
【図５】第１実施形態に係る本体ユニットの斜視図である。本図は、蓋部を開けた状態を示している。
【図６】コネクタ受け部とコネクタ結合部の斜視図である。本図は、切り離した状態を示している。
【図７】第２実施形態のバッテリ装置の斜視図である。
【図８】第３実施形態のバッテリ装置の斜視図である。
【図９】第４実施形態を示す斜視図である。本図は、第２若しくは第３実施形態に係る本体ユニットを充電器にコネクタ接続して充電する状態を示している。
【図１０】第５実施形態のバッテリ装置の斜視図である。
【発明を実施するための形態】
【０００７】
次に、本発明の実施形態を図１〜図１０に基づいて説明する。図２は、電動工具の一例として生垣バリカンと称される園芸工具１０に、以下説明する本実施形態のバッテリ装置２０を装着した状態を示している。本実施形態は、このバッテリ装置２０に特徴を有しており、これが装着される電動工具（園芸工具１０）そのものについては従来と同様で足り、本実施形態において特に変更を要しないので簡単に説明する。この園芸工具１０は、使用者が把持するメイングリップ部１３を有する工具本体部１１と、工具本体部１１の前部から前方へ突き出す状態に装備されたブレード部１５を備えている。工具本体部１１の後部であってメイングリップ部１３の下面側にバッテリ装着部１７が設けられている。このバッテリ装着部１７に電源として一つのバッテリパックを直接装着することによっても工具本体部１１に電源供給される。本実施形態では、園芸工具１０は３６Ｖ電源を仕様とするもので、バッテリ装着部１７にバッテリパックを直接装着する場合には３６Ｖのバッテリパックが装着される。
工具本体部１１の前部には、ループ形のサブグリップ部１２が設けられている。このサブグリップ部１２に沿って同じくループ形のスイッチレバー１４が設けられている。サブグリップ部１２の前方には、当該サブグリップ部１２を把持した使用者の手を保護するための保護ガード板１６が取り付けられている。使用者が一方の手でメイングリップ部１３を把持し、他方の手でサブグリップ部１２を把持して、メイングリップ部１３側のスイッチレバー（図では見えていない）とサブグリップ部１２側のスイッチレバー１４を同時に引き操作するとことにより工具本体部１１が起動してブレード部１５のブレードが往復動する。
上記したように、工具本体部１１のバッテリ装着部１７には、３６Ｖ仕様のバッテリパックを直接取り付けることができる他、これに代えて図示するようにバッテリ装置２０のアダプタユニット２２を取り付けることができる。
【０００８】
図３に示すように本実施形態のバッテリ装置２０は、本体ユニット２１とアダプタユニット２２とこれらを電気的に接続するアダプタコード２３を備えている。図５に示すように本体ユニット２１は、バッテリ収納ケース２４の内部に二つのバッテリパック２５，２５を収容した構成を備えている。バッテリ収納ケース２４は、二つのバッテリパック２５，２５を収容する上方開放のケース本体２４ａとこのケース本体２４ａに対してヒンジ部を介して開閉可能に結合された蓋部２４ｂを備えている。ケース本体２４ａ内に二つのバッテリパック２５，２５を適切な向きで挿入すると、この二つのバッテリパック２５，２５がそれぞれ当該ケース本体２４ａ内に内装された電源回路基板（図示省略）に電気的に直列接続される。蓋部２４ｂを閉じると、二つのバッテリパック２５，２５が収納状態に固定される。蓋部２４ｂの閉じ状態は、スライドロック２７によってロックされる。
二つのバッテリパック２５，２５は、それぞれバッテリケース内に複数本のバッテリセルを内装した例えば１８Ｖ仕様のリチウムイオンバッテリで、従来公知のものが用いられている。従って、このバッテリパック２５は、例示した園芸工具１０とは別の１８Ｖ仕様の電動工具に単独で装着することにより電源として用いることができる。また、このバッテリパック２５は、別途充電器で充電することにより繰り返し使用することができる。
ケース本体２４ａの背面２４ｃ（図５において手前側の側面）は、使用者の腰回りになじむよう緩やかに湾曲している。ケース本体２４ａの背面２４ｃの上部には一つのフック２６が設けられている。このフック２６を使用者の例えば腰ベルトに引き掛けておくことにより、当該本体ユニット２１を腰にぶら下げた状態で携帯することができる。
ケース本体２４ａの左右側部には、腰ベルト通し孔２４ｄ，２４ｄが設けられている。図１に示すように使用者Ｐは、両腰ベルト通し孔２４ｄ，２４ｄに腰ベルトを通しておくことにより、当該本体ユニット２１を腰回りに固定しておくこともできる。
また、ケース本体２４ａの左右側部には、肩ベルト引き掛け部２４ｅ，２４ｅが設けられている。使用者は、両肩ベルト引き掛け部２４ｅ，２４ｅに肩ベルトの両端部を結合しておくことにより、当該本体ユニット２１を肩に掛けて携帯することもできる。
【０００９】
ケース本体２４ａの底部にアダプタコード２３が接続されている。このアダプタコード２３は、ケース本体２４ａの底部にコネクタ接続部Ｃ１を介して接続されている。ケース本体２４ａの底部にオス側コネクタ２８が設けられ、このオス側コネクタ２８に対してアダプタコード２３の一端側にメス側コネクタ２９が設けられている。オス側コネクタ２８にメス側コネクタ２９が接続されてコネクタ接続部Ｃ１が接続され、オス側コネクタ２８からメス側コネクタ２９を分離すればコネクタ接続部Ｃ１が切り離される。このため、図４に示すようにアダプタコード２３はコネクタ接続部Ｃ１を介してケース本体２４ａから取り外すことができる。
図６に示すようにオス側コネクタ２８には、円筒形のねじ軸部２８ａが設けられている。このねじ軸部２８ａの内周側に接続端子２８ｂ〜２８ｂが配置されている。各接続端子２８ｂは、ケース本体２４ａ内に内装した電源回路基板に電気的に接続されている。
これに対してアダプタコード２３側のメス側コネクタ２９には、内周側にねじ孔２９ｂが形成された操作リング２９ａが設けられている。この操作リング２９ａはアダプタコード２３に対して回転操作自在に保持されている。この操作リング２９ａの内周側に端子差し込み孔２９ｃ〜２９ｃが設けられている。各端子差し込み孔２９ｃに接続端子２８ｂを差し込んだ状態で、操作リング２９ａをねじ締め付け側に回転操作してその内周側のねじ孔２９ｂをねじ軸部２８ａに締め付ければ、メス側コネクタ２９がオス側コネクタ２８にねじ結合されてコネクタ接続部Ｃ１が接続され、これによりアダプタコード２３が本体ユニット２１に接続される。メス側コネクタ２９とオス側コネクタ２８がねじ結合されることから、当該コネクタ接続部Ｃ１の不用意な抜けが防止される。このことから、オス側コネクタ２８のねじ軸部２８ａに対するメス側コネクタ２９のねじ孔２９ｂのねじ結合構造が当該コネクタ接続部Ｃ１の抜け止め構造として機能する。
操作リング２９ａをねじ緩み方向に回転操作してねじ軸部２８ａから外せば、コネクタ接続部Ｃ１が切り離されてアダプタコード２３を本体ユニット２１から取り外すことができる。
アダプタコード２３の他端側にアダプタユニット２２が接続されている。アダプタユニット２２は、工具本体部１１のバッテリ装着部１７に対して図中矢印で示すスライド取り付け方向にスライドさせて取り付け可能なスライド取り付け部２２ａを備えている。アダプタユニット２２は、工具本体部１１のバッテリ装着部１７に対して取り付けると電気的に接続される。但し、このアダプタユニット２２にバッテリセルは内装されていない。このため、このアダプタユニット２２は、セルを内装したバッテリパック２５よりも大幅に軽量化されている。
アダプタユニット２２が工具本体部１１の電源回路に電気的に接続されることにより、本体ユニット２１がアダプタコード２３を経て工具本体部１１に対して電気的に接続される。本体ユニット２１がアダプタコード２３を経て工具本体部１１に接続されることにより、当該工具本体部１１に二つのバッテリパック２５，２５から電源供給がなされる。
【００１０】
以上のように構成したバッテリ装置２０によれば、本体ユニット２１のオス側コネクタ２８にアダプタコード２３のメス側コネクタ２９を結合しておくことにより、本体ユニット２１のバッテリパック２５，２５から工具本体部１１に対して電源供給されて、当該園芸工具１０を使用することができる。
本体ユニット２１は、工具本体部１１から分離されて使用者Ｐの腰ベルト等に引き掛けて携帯することができる。このため、工具本体部１１のバッテリ装着部１７には、バッテリパック２５よりも大幅に軽いアダプタユニット２２を取り付けて当該園芸工具１０を軽量化した状態で用いることができ、これにより当該園芸工具１０の使い勝手及び取り扱い性が良くなって作業効率を高めることができる。
しかも、本実施形態のバッテリ装置２０によれば、操作リング２９ａを緩み方向に回転操作してメス側コネクタ２９をオス側コネクタ２８から外せば、本体ユニット２１をアダプタユニット２２ひいては工具本体部１１から分離することができる。このため、使用者が剪定作業を一旦中断して休憩等する場合に、アダプタコード２３を本体ユニット２１から切り離せば、本体ユニット２１を腰ベルトに吊り下げた状態のまま、園芸工具１０を置いて作業現場を離れることができる。
作業を再開する場合には、本体ユニット２１のオス側コネクタ２８にアダプタコード２３のメス側コネクタ２９を係合すれば、園芸工具１０を即座に使用可能な状態となる。
このように、バッテリパック２５，２５を収容した本体ユニット２１をアダプタユニット２２を取り付けた工具本体部１１から分離することができるので、使用者Ｐが例えば腰に吊り下げた本体ユニット２１をそのままで園芸工具１０から遠ざかることができ、この点で当該バッテリ装置２０の使い勝手及び取り扱い性を高めることができる。
また、アダプタコード２３のコネクタ接続部Ｃ１について抜け止めがなされているので、工具本体部１１に対する電源供給状態が確実に維持され、これにより不用意な作業中断等のトラブルを未然に防止することができる。
さらに、オス側コネクタ２８の接続端子２８ｂ〜２８ｂがねじ軸部２８ａの内周側に配置され、またメス側コネクタ２９の端子接続孔２９ｃ〜２９ｃがねじ孔２９ｂの内周側に配置されており、当該コネクタ接続部Ｃ１の接続状態においてこれらの周囲がねじ結合部で囲われて外部に露出されない構成となっていることから、当該コネクタ接続部Ｃ１に防水機能を持たせることができ、これにより雨天での屋外作業時等においてもバッテリ装置２０を用いることができることからその使い勝手及び取り扱い性を高めることができる。
【００１１】
以上説明した実施形態には種々変更を加えて実施することができる。例えば、コネクタ接続部Ｃ１の抜け止め構造として、オス側コネクタ２８のねじ軸部２８ａに対するメス側コネクタ２９のねじ孔２９ｂのねじ結合構造を例示したが、爪部の弾性係合により抜け止めする構造、あるいは締め付けバンドにより抜け止めする構造に置き換えてもよい。
また、コネクタ接続部Ｃ１のオス側コネクタ２８とメス側コネクタ２９は入れ替えてもよい。本体ユニット２１側にメス側コネクタ２９を設け、アダプタユニット２２側であってアダプタコード２３の先端にオス側コネクタ２８を設けた構成であってもよい。
次に、アダプタコード２３のコネクタ接続部Ｃ１を本体ユニット２１の底部に設定した構成を例示したが、本体ユニット２１をアダプタユニット２２から分離可能とするためのコネクタ接続部Ｃ１については、例えばアダプタユニット２１の底部に設定してもよく、アダプタコート２３の中途位置に設定してもよい。前者の第２実施形態に係るコネクタ接続部Ｃ２を備えたバッテリ装置３２が図７に示され、後者の第３実施形態に係るコネクタ接続部Ｃ３を備えたバッテリ装置３６が図８に示されている。第２、第３実施形態において、コネクタ接続部Ｃ２，Ｃ３以外の構成については前記第１実施形態と同様であるので、同位の符号を用いてその説明を省略する。
図７に示すように第２実施形態のバッテリ装置３２の場合、アダプタコード２３の一端側は本体ユニット３３の底部に取り外し不能に接続されている。アダプタコード２３の他端側が、コネクタ接続部Ｃ２を介してアダプタユニット３４に切り離し可能に接続される。
アダプタユニット３４のスライド取り付け方向手前側の後面にメス側コネクタ３０が直接取り付けられている。このメス側コネクタ３０は、第１実施形態におけるメス側コネクタ２９に相当するもので、回転操作自在な操作リング３０ａを備えている。操作リング３０ａの内周側にはねじ孔３０ｂが形成されている。また、操作リング３０ａの内周側に端子接続孔３０ｃ〜３０ｃが配置されている。
このメス側コネクタ３０に対応してアダプタコード２３の他端側にオス側コネクタ３１が設けられている。このオス側コネクタ３１は第１実施形態におけるオス側コネクタ２８に相当するもので、円筒形のねじ軸部３１ａとその内周側に接続端子（図７では見えていない）備えている。各接続端子をメス側コネクタ３０の端子接続孔３０ｃに挿入した状態で、操作リング３０ａをねじ締め付け方向に回転操作すれば、メス側コネクタ３０にオス側コネクタ３１がねじ結合され、これによりアダプタコード２３を経て本体ユニット３３がアダプタユニット３４に電気的に接続される。
メス側コネクタ３０の操作リング３０ａをねじ緩め方向に回転操作すれば、コネクタ接続部Ｃ２のねじ結合を解除してアダプタコード２３をアダプタユニット３４から切り離すことができる。このため、使用者Ｐはわざわざ本体ユニット２１を腰ベルト等から外さなくても、吊り下げたままで園芸工具１０及びアダプタユニット３４を作業現場に残しておくことができるので、第１実施形態と同様当該バッテリ装置３２の使い勝手及び取り扱い性を高めることができる。
図８に示すように第３実施形態のバッテリ装置３６では、アダプタコード２３のコネクタ接続部Ｃ３が当該アダプタコード２３の中途位置（長手方向ほぼ中央）に設定されている。第３実施形態の場合、本体ユニット３３の底部にアダプタコード２３のほぼ半分の長さの分割コード２３ａが切り離し不能に接続されている。この分割コード２３ａの先端にオス側コネクタ３１が取り付けられている。このため、第３実施形態では、前記第２実施形態の本体ユニット３３をそのまま用いることができる。アダプタユニット２２のスライド取り付け方向手前側の後面に、アダプタコード２３のほぼ半分の長さの分割コード２３ｂが切り離し不能に接続されている。この分割コード２３ｂの先端に第１実施形態と同じく回転操作自在な操作リング２９ａを備えたメス側コネクタ２９が取り付けられている。このため、第３実施形態では、前記第１実施形態のアダプタユニット２２をそのまま用いることができる。
第１実施形態のアダプタユニット２２と第２実施形態の本体ユニット３３をコネクタ接続部Ｃ３を介して接続することにより、第３実施形態のバッテリ装置３６とすることができる。この第３実施形態のバッテリ装置３６によっても、コネクタ接続部Ｃ３を切り離すことにより、本体ユニット３３をアダプタユニット２２ひいては工具本体部１１から分離することができるので、当該バッテリ装置３６の使い勝手及び取り扱い性を高めることができる。
【００１２】
次に、本体ユニット３３はアダプタコード２３を介して充電器３５に接続することにより、内装したバッテリパック２５，２５を充電することができる。この第４実施形態が図９に示されている。図示するように本体ユニット３３の底部にはアダプタコード２３（分割コード２３ａ）が切り離し不能に接続されている。このアダプタコード２３（分割コード２３ａ）の先端にオス側コネクタ３１が取り付けられている。従って、図９に示す本体ユニット３３には、図７に示す第２実施形態の本体ユニット３３若しくは図８に示す第３実施形態の本体ユニット３３を適用することができる。
充電器３５は、その上面にバッテリパック２５を直接接続するためのバッテリパック受け部３５ａが設けられた公知の充電器に、第２実施形態のアダプタユニット３４に用いたメス側コネクタ３０を追加した構成を備えている。バッテリパック受け部３５ａは、工具本体部１１のバッテリ装着部１７と同じくスライド取り付け構造を備えている。この充電器３５の側部に一つのメス側コネクタ３０が直接取り付けられている。
本体ユニット３３側のオス側コネクタ３１のねじ軸部３１ａを、充電器３５のメス側コネクタ３０の操作リング３０ａの内周側に挿入すると、オス側コネクタ３１の接続端子がメス側コネクタ３０の端子接続孔に挿入され、この状態で操作リング３０ａをねじ軸部３１ａに対してねじ締め方向に回転操作すれば、両コネクタ３１，３０がねじ結合されて、本体ユニット３３が充電器３５に電気的に接続される。こうして本体ユニット３３を接続した状態で充電器３５を起動させることにより、本体ユニット３３に内装した二つのバッテリパック２５，２５の充電を行うことができる。
このように、第４実施形態によれば、第２若しくは第３実施形態で示した本体ユニット３３を充電器３５にコネクタ接続部Ｃ４を介して接続することにより、本体ユニット３３に内装したバッテリパック２５，２５の充電を行うことができることから、バッテリパック２５を本体ケース２４ａから取り出して充電器３５のバッテリパック受け部３５ａに取り付けて一つずつ充電する手間をかけることなく二つのバッテリパック２５，２５の充電を同時かつ迅速に行うことができる。
上記第４実施形態では、本体ユニット３３側にオス側コネクタ３１を取り付け、充電器３５側にメス側コネクタ３０を取り付けた構成を例示したが、前記と同様オス側コネクタとメス側コネクタは入れ替えてもよい。
また、一方のコネクタを本体ユニットの底部に直接取り付け、他方のコネクタをアダプタコードを介して充電器に取り付ける構成としてもよく、オス側とメス側双方のコネクタをそれぞれアダプタコードを介して本体ユニット及び充電器に取り付ける構成としてもよい。
【００１３】
さらに、第１〜第４実施形態において、本体ユニット２１の側部若しくはその他の部位に直接若しくはアダプタコードを介してオス側若しくはメス側のコネクタを取り付ける構成としてもよい。また、腰ベルト吊り下げ、あるいは肩掛けに限らず背負う形式の本体ユニットであってもよい。
さらに、本体ユニットに内装するバッテリパックの個数については、１つであっても３つ以上であってもよい。例示した実施形態では、本体ユニット２１に１８Ｖバッテリを二つ直列接続状態で収容して、３６Ｖ仕様の電動工具に電源供給するバッテリ装置２０を例示したが、本発明に係るコネクタ接続構造（コネクタ接続部Ｃ１〜Ｃ３）は、本体ユニットに１８Ｖバッテリを一つ若しくは二つ以上並列接続状態で収容して、１８Ｖ仕様の電動工具に電源供給するバッテリ装置についても同様に適用することができる。係る構成によっても、工具本体部側の軽量化を図ることができる他、二つ以上のバッテリパックを並列接続することにより電源供給時間を長くすることができる。
また、電動工具として園芸工具１０を例示したが、各種孔明け作業用の電気ドリル、ねじ締め機、切断機等その他の電動工具のバッテリ装置として広く適用することができる。
さらに、アダプタユニット２２を介して本体ユニット２１を電動工具１に対して間接的にコネクタ接続する構成を例示したが、本発明に係るバッテリ装置は、アダプタユニットを省略してアダプタコードを介して本体ユニットを工具本体部に直接コネクタ接続する構成によっても同様の作用効果を得ることができる。図１０にこの第５実施形態に係るバッテリ装置３７が示されている。この第４実施形態のバッテリ装置３７は、第２〜第４実施形態に例示した本体ユニット３３をコネクタ接続部Ｃ５を介して工具本体部１１に直接コネクタ接続する構成を備えている。
本体ユニット３３の底部にはアダプタコード２３が引き出されており、その先端にオス側コネクタ３１が取り付けられている。一方、工具本体部１１のメイングリップ部１３の後面には、第２、第４実施形態と同じメス側コネクタ３０が取り付けられている。
このように第１〜第３実施形態のようなアダプタユニット２２，３４を省略する一方、工具本体部１１にメス側コネクタ３０を設けることにより、本体ユニット３３をアダプタコード２３を介して工具本体部１１に直接コネクタ接続することができ、このコネクタ接続部Ｃ５を切り離すことにより本体ユニット３３を腰ベルト等に吊り下げた状態のまま工具本体部１１から分離することができる。このことから、電動工具（工具本体部１１）の軽量化を図って作業の効率化を図りつつ、この作業を一旦中断する場合等には本体ユニット３３を工具本体部１１から簡単に分離して、当該バッテリ装置３７の取り扱い性をよくすることができる。
以上説明した第１〜第５実施形態において、工具本体部若しくはアダプタユニットと、本体ユニットとの間において、アダプタコードの一端側でコネクタ接続する構成を例示したが、アダプタコードの両端部で工具本体部若しくはアダプタユニットと本体ユニットの双方に対してコネクタ接続する構成としてもよい。
【符号の説明】
【００１４】
Ｃ１…コネクタ接続部（第１実施形態）
Ｐ…使用者
１０…園芸工具（生垣バリカン）
１１…工具本体部
１２…サブグリップ部
１３…メイングリップ部
１４…スイッチレバー
１５…ブレード部
１６…保護ガード板
１７…バッテリ装着部
２０…バッテリ装置
２１…本体ユニット
２２…アダプタユニット
２３…アダプタコード
２４…バッテリ収納ケース
２４ａ…ケース本体、２４ｂ…蓋部、２４ｃ…背面、２４ｄ…腰ベルト通し孔
２４ｅ…肩ベルト引き掛け部
２５…バッテリパック
２６…フック
２７…スライドロック
２８…オス側コネクタ、２８ａ…ねじ軸部、２８ｂ…接続端子
２９…メス側コネクタ、２９ａ…操作リング、２９ｂ…ねじ孔、２９ｃ…端子差し込み孔
Ｃ２…コネクタ接続部（第２実施形態）
３０…メス側コネクタ（第２、第４実施形態）
３１…オス側コネクタ（第２、第４実施形態）
３２…バッテリ装置（第２実施形態）
３３…本体ユニット（第２〜第５実施形態）
３４…アダプタユニット（第２実施形態）
Ｃ３…コネクタ接続部（第３実施形態）
３５…充電器、３５ａ…バッテリパック受け部
３６…バッテリ装置（第３実施形態）
Ｃ４…コネクタ接続部（第４実施形態）
３７…バッテリ装置（第５実施形態）
【図１】
2014194950.tif 000003
【図２】
2014194950.tif 000004
【図３】
2014194950.tif 000005
【図４】
2014194950.tif 000006
【図５】
2014194950.tif 000007
【図６】
2014194950.tif 000008
【図７】
2014194950.tif 000009
【図８】
2014194950.tif 000010
【図９】
2014194950.tif 000011
【図１０】
2014194950.tif 000012
【手続補正書】
【提出日】平成26年6月3日(2014.6.3)
【手続補正１】
【補正対象書類名】特許請求の範囲
【補正対象項目名】全文
【補正方法】変更
【補正の内容】
【特許請求の範囲】
【請求項１】
使用者が背負って携帯可能であり、電動工具に電源を供給可能な本体ユニットと、前記電動工具のバッテリ装着部に装着可能なアダプタユニットと、該アダプタユニットを前記本体ユニットに電気的に接続するアダプタコードを備えたバッテリ装置であって、
前記アダプタコードは、その中途位置に設けたコネクタ接続部を分離することにより、前記本体ユニット側の分割コードと、前記アダプタユニット側の分割コードに分割可能であり、
前記アダプタ側の分割コードは、前記アダプタユニットに切り離し不能に接続されており、前記本体ユニット側の分割コードは、前記本体ユニットに切り離し不能に接続されており、
前記アダプタユニットは、前記バッテリ装着部に対してスライドさせて取り付け可能なスライド取り付け部を備えたバッテリ装置。
【請求項２】
前記コネクタ接続部は、回転操作自在な操作リングを備えており、前記操作リングを回転操作することにより前記コネクタ接続部の分離を抑制した状態とすることが可能である請求項１に記載のバッテリ装置。
【請求項３】
前記本体ユニットに腰ベルトが備えられた請求項１又は２に記載のバッテリ装置。
【請求項４】
前記本体ユニットには、ケース本体が備えられており、前記ケース本体に肩ベルト引き掛け部が設けられている、請求項１乃至３の何れか１項に記載のバッテリ装置。
【請求項５】
請求項１乃至４の何れか１項に記載のバッテリ装置を装着した園芸工具。